【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
電源線を介して電源が供給されるトランジスタと、
前記トランジスタにて駆動され、前記電源線を用いて形成されたアンテナとを有することを特徴とする無線通信装置。
【請求項２】
アンテナと、前記アンテナを送信信号によって駆動する駆動回路と、前記駆動回路から出力される信号を取り出す接続手段とを含む集積回路を有する無線通信装置であって、
前記駆動回路の電源は前記アンテナを介して供給されることを特徴とする無線通信装置。
【請求項３】
前記接続手段は、前記駆動回路から出力される信号を前記集積回路の外部へ取り出すことを特徴とする請求項２に記載の無線通信装置。
【請求項４】
送信信号を用いてアンテナを駆動する駆動回路と、
前記駆動回路に電源を供給する電源端子と、
前記駆動回路の出力を前記電源端子に重畳する重畳回路と、
前記重畳回路の出力から直流成分を抽出する直流抽出回路と、
前記直流抽出回路によって抽出された直流成分を電源として作動する付加回路とを有することを特徴とする半導体集積回路。
【請求項５】
前記直流抽出回路は、前記重畳回路の出力から高周波成分を阻止し前記直流成分のみを抽出することを特徴とする請求項４に記載の半導体集積回路。
【請求項６】
電源端子と、
前記電源端子から直流成分を抽出する直流抽出回路と、
前記直流抽出回路によって抽出された直流成分を電源として作動する付加回路と、
前記電源端子に重畳された高周波信号を受信する受信回路とを有することを特徴とする半導体集積回路。
【請求項７】
前記直流抽出回路は、前記電源端子から直流成分のみを抽出することを特徴とする請求項６に記載の半導体集積回路。
【請求項８】
送信アンテナと、
前記送信アンテナに接続され、前記送信アンテナを送信信号によって駆動する駆動回路とを有することを特徴とする請求項６または７に記載の半導体集積回路。
【請求項９】
前記電源端子に接続され電源を供給する電源線は、前記電源線の所定位置が等価的に接地電位に保たれた導体により構成されることを特徴とする請求項４から８のいずれか１項記載の半導体集積回路。
【請求項１０】
前記電源端子に接続され電源を供給する電源線には、使用無線周波数において等価的に開放にする開放手段が前記電源線の所定位置に挿入されていることを特徴とする請求項４から８のいずれか１項記載の半導体集積回路。
【請求項１１】
前記電源端子には、逆Ｆ型のアンテナ素子を介して電源が供給されることを特徴とする請求項４から８のいずれか１項記載の半導体集積回路。
【請求項１２】
前記半導体集積回路を含むことを特徴とする請求項４から１１のいずれか１項記載の半導体装置。
【手続補正２】
【補正対象書類名】明細書
【補正対象項目名】発明の名称
【補正方法】変更
【補正の内容】
【発明の名称】半導体集積回路、無線通信装置および半導体装置
【手続補正３】
【補正対象書類名】明細書
【補正対象項目名】０００１
【補正方法】変更
【補正の内容】
【０００１】
本発明は半導体集積回路、無線通信装置および半導体装置に関する。より詳しくは、本発明は無線装置のアンテナとそのアンテナを駆動する半導体集積回路の接続技術に関する。
【手続補正４】
【補正対象書類名】明細書
【補正対象項目名】００１１
【補正方法】変更
【補正の内容】
【００１１】
また、半導体チップ外部にアンテナ８０１、９０１を置く場合は、上述のように半導体チップ上のアンテナ８０１、９０１の駆動回路とアンテナ８０１、９０１の接続に問題があり、またアンテナ８０１、９０１のサイズやアンテナ８０１、９０１までの給電の伝送線路８１３、９１３のスペースやコストが課題となる。
本発明は上述のこのような従来技術の課題を解決し、半導体集積回路チップにアンテナを搭載しなくても、半導体チップ上にアンテナを形成したのと同じ効果を有し、しかも低い周波数でも使用が可能でかつ高効率にアンテナを駆動することを可能とし、小型で低コストの半導体集積回路、無線通信装置および半導体装置を実現することを目的とする。
【手続補正５】
【補正対象書類名】明細書
【補正対象項目名】００１２
【補正方法】変更
【補正の内容】
【００１２】
本発明の一態様に係る無線通信装置は、電源線を介して電源が供給されるトランジスタと、前記トランジスタにて駆動され、前記電源線を用いて形成されたアンテナとを有することを特徴とする。
上記構成によれば、トランジスタへの電源供給がアンテナの素子を通じて行われるため電源線をアンテナとして使用することが可能となり、半導体チップに比較し大きなサイズのアンテナも搭載が可能となるとともに、アンテナを駆動するトランジスタはアンテナに直接接続されるので、アンテナとトランジスタの間に伝送線路が介在せず、効率の良いシステムを実現することができる。
【手続補正６】
【補正対象書類名】明細書
【補正対象項目名】００１３
【補正方法】変更
【補正の内容】
【００１３】
また、本発明の一態様に係る無線通信装置は、アンテナと、前記アンテナを送信信号によって駆動する駆動回路と、前記駆動回路から出力される信号を取り出す接続手段とを含む集積回路を有する無線通信装置であって、前記駆動回路の電源は前記アンテナを介して供給されることを特徴とする。
本発明の一態様に係る半導体集積回路の前記接続手段は、前記駆動回路から出力される信号を前記集積回路の外部へ取り出すことを特徴とする。
上記構成によれば、集積回路への電源供給がアンテナの素子を通じて行われるため、電源線をアンテナとして使用することが可能となり、半導体チップに比較し大きなサイズのアンテナも搭載が可能であり、しかも外部にアンテナを置く従来の技術に比較してスペースの節約に効果がある。また、アンテナの駆動回路は直接アンテナに接続されるので、アンテナと駆動回路の間に伝送線路が介在せず、効率の良いシステムを実現できる。
【手続補正７】
【補正対象書類名】明細書
【補正対象項目名】００１４
【補正方法】変更
【補正の内容】
【００１４】
本発明の一態様に係る半導体集積回路は、送信信号を用いてアンテナを駆動する駆動回路と、前記駆動回路に電源を供給する電源端子と、前記駆動回路の出力を前記電源端子に重畳する重畳回路と、前記重畳回路の出力から直流成分を抽出する直流抽出回路と、前記直流抽出回路によって抽出された直流成分を電源として作動する付加回路とを有することを特徴とする。
本発明の一態様に係る半導体集積回路の前記直流抽出回路は、前記重畳回路の出力から高周波成分を阻止し前記直流成分のみを抽出することを特徴とする。
【手続補正８】
【補正対象書類名】明細書
【補正対象項目名】００１６
【補正方法】変更
【補正の内容】
【００１６】
本発明の一態様に係る半導体集積回路は、電源端子と、前記電源端子から直流成分を抽出する直流抽出回路と、前記直流抽出回路によって抽出された直流成分を電源として作動する付加回路と、前記電源端子に重畳された高周波信号を受信する受信回路とを有することを特徴とする。
本発明の一態様に係る半導体集積回路の前記直流抽出回路は、前記電源端子から直流成分のみを抽出することを特徴とする。
上記構成によれば、集積回路に電源を供給する電源線から電源に重畳された高周波信号を分離できるので、これを受信アンテナとして使用することが可能となる。このため、アンテナは集積回路の外部に置くことができ、サイズの大きなアンテナも使用することが可能となる。また、アンテナと電源線が共用できるので、スペースの節約が可能であり、さらに受信回路は従来のような長い伝送線路を介さずにアンテナに直接接続できるので、アンテナと受信回路間の損失が最小にでき、効率の良いシステムを実現できる。
【手続補正９】
【補正対象書類名】明細書
【補正対象項目名】００１７
【補正方法】変更
【補正の内容】
【００１７】
本発明の一態様に係る半導体集積回路は、送信アンテナと、前記送信アンテナに接続され、前記送信アンテナを送信信号によって駆動する駆動回路とを有することを特徴とする。
【手続補正１０】
【補正対象書類名】明細書
【補正対象項目名】００１８
【補正方法】変更
【補正の内容】
【００１８】
上記構成によれば、高感度および高効率が要求される受信アンテナは電源線を用いた集積回路外部のアンテナを使用し、効率があまり要求されない送信には集積回路内部に搭載されたアンテナを使用することができる。一つのアンテナを送受で切り替えるなどの切り替え回路が不要となり、設計が容易になるとともに、コスト的な効果もある。
本発明の一態様に係る半導体集積回路の前記電源端子に接続され電源を供給する電源線は、前記電源線の所定位置が等価的に接地電位に保たれた導体により構成されることを特徴とする。
【手続補正１１】
【補正対象書類名】明細書
【補正対象項目名】００１９
【補正方法】変更
【補正の内容】
【００１９】
上記構成によれば、電源線の一部（集積回路の電源端子から上記所定位置まで）を先端が接地電位のアンテナとして使用することが可能となり、電源線の引き回しを容易化することができる。
本発明の一態様に係る半導体集積回路の前記電源端子に接続され電源を供給する電源線には、使用無線周波数において等価的に開放にする開放手段が前記電源線の所定位置に挿入されていることを特徴とする。
【手続補正１２】
【補正対象書類名】明細書
【補正対象項目名】００２０
【補正方法】変更
【補正の内容】
【００２０】
上記構成によれば、電源線の一部（集積回路の電源端子から上記所定位置まで）を先端が開放のアンテナとして使用することが可能となり、電源線の引き回しを容易化することができる。
本発明の一態様に係る半導体集積回路の前記電源端子には、逆Ｆ型のアンテナ素子を介して電源が供給されることを特徴とする。
【手続補正１３】
【補正対象書類名】明細書
【補正対象項目名】００２１
【補正方法】変更
【補正の内容】
【００２１】
上記構成によれば、電源線の一部を逆Ｆ型のアンテナとして使用することができ、効率の良い小型のシステムの構築が可能となる。
本発明の一態様に係る半導体装置は、前記半導体集積回路を含むことを特徴とする。
【手続補正１４】
【補正対象書類名】明細書
【補正対象項目名】００２２
【補正方法】変更
【補正の内容】
【００２２】
以上述べたように本発明によれば、集積回路に電源を供給する電源線を用いてアンテナとすることができるので、サイズの大きなアンテナもシステムに組み込むことが可能となる。しかも、アンテナは駆動する集積回路に直結されるため、アンテナ駆動回路間の損失を最小にすることができ、また伝送路のスペースおよびコストを節約することができる。